(57)【要約】【課題】簡単な操作で、ユーザーが望む色を用いて、画像を記録できるようにする。【解決手段】画像形成装置１０は、サンプル画像を撮像する撮像部３３と、印刷画像を記録紙に形成する画像形成部１２と、撮像部３３により撮像されたサンプル画像から、シアン、マゼンタ、又はイエローのいずれかからなる単色を抽出して、上記印刷画像の色を上記単色、又は、当該単色と黒色からなる２色のいずれかに変換して、前記単色からなる単色画像、又は前記２色からなる２色画像を生成する画像処理を行う画像処理部４４と、上記単色画像又は上記２色画像を、画像形成部１２により記録紙に形成させる制御部４１とを備える。【選択図】図２
2019117238.tif 000002
【特許請求の範囲】
【請求項１】
サンプル画像を撮像する撮像部と、
印刷画像を記録紙に形成する画像形成部と、
前記撮像部により撮像されたサンプル画像から、シアン、マゼンタ、又はイエローのいずれかからなる単色を抽出して、前記印刷画像の色を前記単色、又は、当該単色と黒色からなる２色のいずれかに変換して、前記単色からなる単色画像、又は前記２色からなる２色画像を生成する画像処理を行う画像処理部と、
前記単色画像又は前記２色画像を、前記画像形成部により記録紙に形成させる制御部と、を備える画像形成装置。
【請求項２】
前記単色を表示する表示部と、
ユーザーにより操作される操作部と、を更に備え、
前記制御部は、前記操作部の操作に応じて前記表示部に表示されている前記単色を調節し、
前記画像処理部は、前記印刷画像の色を、前記調節された単色、又は当該単色と黒色からなる２色に変換する請求項１に記載の画像形成装置。
【請求項３】
表示部と、
ユーザーにより操作される操作部と、を更に備え、
前記制御部は、
前記画像処理部により前記単色画像又は前記２色画像が生成された場合、前記単色画像又は前記２色画像を当該画像形成装置が備える記憶部又は、当該画像形成装置に接続されるネットワーク上のストレージに記憶させておき、
前記撮像部により撮像されたサンプル画像に同一又は類似となる、前記記憶部又は前記ストレージに記憶されている前記単色画像又は前記２色画像を抽出して前記表示部に表示させ、
前記操作部により、前記表示部に表示されている前記単色画像又は前記２色画像のいずれかが選択されると、前記画像処理部は、前記印刷画像に対して、前記印刷画像が前記選択された単色画像又は２色画像となる色変換処理を行う請求項１に記載の画像形成装置。
【発明の詳細な説明】
【技術分野】
【０００１】
本発明は、印刷画像を単色画像又は２色画像に変換して記録紙に形成させる画像形成装置に関する。
【背景技術】
【０００２】
画像形成装置には、原稿の画像をモノクロ、フルカラー、又は２色などで記録紙に形成するものがある。また、特許文献１及び特許文献２では、原稿の画像を２色で形成する場合に、カラー画像形成に用いられるＹＭＣＫ色のそれぞれのトナーの残量を測定して、ＹＭＣＫ色の中からトナーの残量の多い２色を選択するか、原稿の文字領域の中で使用頻度の高い２色を選択するか、選択頻度の高い２色を選択し、原稿の画像を、その選択した２色と黒色を組み合わせてなる画像に変換して、この変換した画像を記録紙に形成している。
【先行技術文献】
【特許文献】
【０００３】
【特許文献１】特開２００４−２９７６０９号公報
【特許文献２】特開２００４−２９７６１０号公報
【発明の概要】
【発明が解決しようとする課題】
【０００４】
しかしながら、特許文献１及び特許文献２では、ユーザーにより選択可能な色がＹＭＣＫ色のみであって、色の選択の自由度が低く、ユーザーが望む色を用いて、単色画像又は２色画像を記録紙に記録することができなかった。
【０００５】
本発明は、上記の事情に鑑みなされたものであり、簡単な操作で、ユーザーが望む色を用いて、画像を記録できるようにすることを目的とする。
【課題を解決するための手段】
【０００６】
本発明の一局面にかかる画像形成装置は、サンプル画像を撮像する撮像部と、印刷画像を記録紙に形成する画像形成部と、前記撮像部により撮像されたサンプル画像から、シアン、マゼンタ、又はイエローのいずれかからなる単色を抽出して、前記印刷画像の色を前記単色、又は、当該単色と黒色からなる２色のいずれかに変換して、前記単色からなる単色画像、又は前記２色からなる２色画像を生成する画像処理を行う画像処理部と、前記単色画像又は前記２色画像を、前記画像形成部により記録紙に形成させる制御部と、を備えるものである。
【発明の効果】
【０００７】
本発明によれば、簡単な操作で、ユーザーが望む色を用いて、画像を記録できる。
【図面の簡単な説明】
【０００８】
【図１】本発明の一実施形態にかかる画像形成装置を示す正面断面図である。
【図２】本実施形態の画像形成装置の主要内部構成を示すブロック図である。
【図３】ユーザーが選定した任意の単色を用いて、単色画像又は２色画像を記録紙に記録するための処理手順を示すフローチャートである。
【図４】画像形成装置における表示部に表示された、通常画像の印刷、単色画像の印刷、及び２色画像の印刷のいずれかを選択するための画面を示す図である。
【図５】画像形成装置における表示部に表示された、色メニュー及びサンプル画像のいずれかを選択するための画面を示す図である。
【図６】画像形成装置における表示部に表示された、色メニューの画面を示す図である。
【図７】画像形成装置における表示部に表示された、印刷形式選択用の画面を示す図である。
【図８】画像形成装置における表示部に表示された、単色を調節するための画面を示す図である。
【発明を実施するための形態】
【０００９】
以下、本発明の一実施形態について図面を参照して説明する。
【００１０】
図１は、本発明の一実施形態にかかる画像形成装置を示す断面図である。この画像形成装置１０は、例えば、コピー機能、プリンター機能、スキャナー機能、及びファクシミリ機能のような複数の機能を兼ね備えたＭＦＰ（複合機）である。この画像形成装置１０は、画像読取部１１と、画像形成部１２とを備えている。
【００１１】
画像読取部１１は、原稿の画像を光学的に読み取るスキャナーを有し、このスキャナーの撮像素子から出力されたアナログ信号をデジタル信号に変換して、原稿の画像を示す画像データを生成する。
【００１２】
画像形成部１２は、画像読取部１１で生成された画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に転写する。これにより、カラーのトナー像（画像）が中間転写ベルト５上に形成される。このトナー像は、中間転写ベルト５と２次転写ローラー６の間のニップ域Ｎにおいて給紙部７から搬送路８を通じて搬送されてきた記録紙Ｐに２次転写される。
【００１３】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００１４】
図２は、本実施形態の画像形成装置１０の主要内部構成を示す機能ブロック図である。図２に示すように画像形成装置１０は、制御ユニット３１、表示部３２、撮像部３３、操作部３４、タッチパネル３５、ネットワーク通信部３６、記憶部３８、画像メモリー３９、画像読取部１１、及び画像形成部１２などを備えている。これらの構成要素は、互いにバスを通じてデータ又は信号の送受信を可能とされている。
【００１５】
表示部３２は、液晶ディスプレイ（ＬＣＤ：Liquid Crystal Display）や有機ＥＬ（ＯＬＥＤ：Organic Light-Emitting Diode）ディスプレイなどから構成される。
【００１６】
撮像部３３は、レンズ及び撮像素子を備えるカメラであって、外部の画像を撮像して、この画像を示す画像データを出力する。
【００１７】
操作部３４は、例えば、表示部３２に表示されているＧＵＩにおけるフォーカスを移動させる矢印キー、ＧＵＩに対して確定操作を行う決定キー、スタートキーなどのハードキー等により構成され、操作者から各種指示が入力される。
【００１８】
表示部３２の画面には、タッチパネル３５が重ねられている。タッチパネル３５は、所謂抵抗膜方式や静電容量方式などのタッチパネルであって、タッチパネル３５に対するユーザーの指などの接触（タッチ）をその接触位置と共に検知し、表示部３２の画面上のＧＵＩなどに対するユーザーの指示を受け付ける。
【００１９】
ネットワーク通信部３６は、不図示のＬＡＮチップなどの通信モジュールを備える通信インターフェイスである。ネットワーク通信部３６は、ネットワークＮを通じて他の端末装置（図示せず）との間で各種のデータを送受信する。
【００２０】
記憶部３８は、大容量のＳＳＤ（Solid State Drive）、ＨＤＤ（Hard Disk Drive）などからなり、各種のデータやプログラムを記憶している。
【００２１】
画像メモリー３９は、画像読取部１１により読取られた原稿の画像を示す画像データ、外部から受信した画像データを一時的に記憶する。また、画像メモリー３９は、制御ユニット３１における画像処理部４４のワークエリアとして用いられる。
【００２２】
制御ユニット３１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット３１は、上記のＲＯＭ又は記憶部３８に記憶されている制御プログラムが上記のプロセッサーで実行されることにより、制御部４１、表示制御部４２、通信制御部４３、及び画像処理部４４として機能する。なお、これら各部は、ハード回路により構成されてもよい。
【００２３】
制御部４１は、画像形成装置１０の全体的な動作制御を司る。制御部４１は、画像形成装置１０による画像形成に必要な各種の処理などを実行する処理部としての役割を果たす。表示制御部４２は、表示部３２を制御して、上記ＧＵＩ、あるいは各種の情報などを表示部３２に表示させる。通信制御部４３は、ネットワーク通信部３６の通信動作を制御する機能を有する。
【００２４】
画像処理部４４は、画像メモリー３９内の画像データに対して各種の画像処理を施す。
【００２５】
尚、制御部４１は、特許請求の範囲における「制御部」に相当する。また、操作部３４及びタッチパネル３５は、特許請求の範囲における「操作部」に相当し、撮像部３３は、特許請求の範囲における「撮像部」に相当し、画像処理部４４は、特許請求の範囲における「画像処理部」に相当し、画像形成部１２は、特許請求の範囲における「画像形成部」に相当する。
【００２６】
このような構成の画像形成装置１０において、例えば、ユーザーによる操作部３４又はタッチパネル３５の操作に基づいて、コピージョブの実行指示が受け付けられると、制御部４１は、画像読取部１１により原稿の画像を読取らせて、この画像を示す画像データを画像メモリー３９に一旦記憶させ、この画像データを画像形成部１２に入力させて、その画像を画像形成部１２で記録紙に印刷させる。あるいは、外部装置からの画像データがネットワークを通じて通信制御部４３で受信されると、制御部４１は、プリントジョブの実行を開始し、画像データを画像メモリー３９に一旦記憶させ、この画像データを画像形成部１２に入力させて、この画像データによって示される画像を画像形成部１２で記録紙に記録させる。
【００２７】
また、画像の記録に際し、ユーザーによる操作部３４又はタッチパネル３５の操作、或いは、外部装置から通信制御部４３により受信される情報に基づいて、単色印刷又は２色印刷を選択する指示が受け付けられると、画像処理部４４は、画像メモリー３９内の画像データに対して処理を施して、当該指示に従って、単色印刷に用いる単色画像、又は、当該２色印刷に用いる単色及び黒色からなる２色画像のいずれかを示す画像データを生成する。制御部４１は、この単色画像又は２色画像を示す画像データを画像形成部１２に入力させて、単色画像又は２色画像を画像形成部１２で記録紙に記録させる。なお、当該２色画像は、いわゆる２色印刷に用いられる画像である。
【００２８】
更に、ユーザーによる操作部３４又はタッチパネル３５の操作に基づいて撮像指示が受け付けられると、制御部４１は、撮像部３３によりサンプル画像を撮像させる。ユーザーによる操作部３４又はタッチパネル３５の操作に基づいて、このサンプル画像に含まれる単色が選定されると、制御部４１は、この単色を、上記単色画像又は２色画像の生成に用いられる単色として設定する。これにより、ユーザーが選定した任意の単色を用いて、単色画像又は２色画像を記録紙に記録することが可能となる。
【００２９】
次に、そのようなユーザーが選定した任意の単色を用いて、単色画像又は２色画像を記録紙に記録するための処理手順を、図３に示すフローチャートなどを参照して説明する。
【００３０】
まず、ユーザーによる操作部３４又はタッチパネル３５の操作に基づいて原稿読取指示が受け付けられると、制御部４１が、画像読取部１１により原稿の画像を読み取らせる。制御部４１は、この原稿読取で得られた原稿画像を例えば画像メモリー３９に一旦記憶させる。あるいは、画像形成の対象とされる画像が外部装置からネットワーク通信部３６を介して通信制御部４３で受信されると、制御部４１が、当該画像を画像メモリー３９に一旦記憶させる。
【００３１】
そして、表示制御部４２は、図４に例を示すような通常印刷、単色印刷、又は２色印刷のいずれかの印刷を選択する指示をユーザーに入力させるための画面Ｇ１を表示部３２に表示させる（Ｓ１０１）。この図４に示す画面Ｇ１には、通常印刷選択用のキーＫ１１、及び単色印刷又は２色印刷選択用のキーＫ１２が表示されている。
【００３２】
例えば、ユーザーによる操作部３４又はタッチパネル３５の操作により通常印刷のキーＫ１１が押下され、通常印刷での印刷を行う指示が操作部３４又はタッチパネル３５に受け付けられると（Ｓ１０２「通常」）、制御部４１は、画像メモリー３９内の上記画像に対して、単色印刷又は２色印刷用の色変換処理を画像処理部４４に行わせることなく、この画像を画像形成部１２に入力する。画像形成部１２は、画像データによって示されるモノクロ画像又はフルカラー画像を記録紙に形成して、この記録紙を出力する（Ｓ１０３）。すなわち、通常印刷とは、印刷対象とされる画像を、単色印刷又は２色印刷用の色変換処理を行うことなく、画像形成部１２に入力して画像形成を行う印刷である。画像形成部１２は、画像データによって示されるモノクロ画像又はフルカラー画像を記録紙に形成して、この記録紙を出力する（Ｓ１０３）。
【００３３】
また、ユーザーによる操作部３４又はタッチパネル３５の操作により、単色印刷又は２色印刷のキーＫ１２が押下され、単色印刷又は２色印刷での印刷を行う指示が操作部３４又はタッチパネル３５に受け付けられると（Ｓ１０２「単色又は２色」）、表示制御部４２は、図５に例を示すような予め設定された色メニュー、又は撮像部３３により撮像されたサンプル画像のいずれかをユーザーに選択させるための画面Ｇ２を表示部３２に表示させる（Ｓ１０４）。この図５に示す画面Ｇ２には、色メニューのキーＫ２１及びサンプル画像のキー２２が表示されている。
【００３４】
ユーザーによる操作部３４又はタッチパネル３５の操作により、色メニューのキーＫ２１が押下され、色メニューの画面を表示させる指示が受け付けられると（Ｓ１０５「色メニュー」）、表示制御部４２は、図６に例を示すような、色メニューの画面Ｇ３を表示部３２に表示させる（Ｓ１０６）。この図６に示す画面Ｇ３には、マゼンタのキーＫ３１、シアンのキーＫ３２、イエローのキーＫ３３、単色のキーＫ４１、及び２色のキーＫ４２が表示されている。
【００３５】
ユーザーによる操作部３４又はタッチパネル３５の操作により、(i)マゼンタのキーＫ３１、シアンのキーＫ３２、又はイエローのキーＫ３３のいずれか１つが押下されると共に単色のキーＫ４１が押下される、(ii) マゼンタのキーＫ３１、シアンのキーＫ３２、又はイエローのキーＫ３３のうちいずれか１つが押下されると共に２色のキーＫ４２が押下される、のいずれかが行われると、操作部３４又はタッチパネル３５は、(i)選択した一色による単色印刷の指示、又は(ii)選択した１色と黒色による２色印刷の指示のうち、行われた方に対応する指示を受け付ける（Ｓ１０７）。
【００３６】
ここで、マゼンタ、シアン、又はイエローのうち一色を用いた単色印刷、マゼンタ、シアン、又はイエローのうち一色と黒色を用いた２色印刷を行うために、画像メモリー３９内の画像データによって示される画像（以下、印刷画像と称す）を、当該単色印刷に用いる各単色画像、及び２色印刷に用いる各２色画像に変換するために必要なそれぞれの色変換アルゴリズムが記憶部３８に記憶されている。例えば、画像処理部４４は、マゼンタのキーＫ３１、シアンのキーＫ３２、及びイエローのキーＫ３３が示すいずれかの単色が指示されると共に、単色のキーＫ４１により単色印刷が指示された場合は、その指示された単色に対応する色変換アルゴリズムを記憶部３８から読み出し、当該色変換アルゴリズムに従って、印刷画像を上記指示された単色画像に変換する画像処理を施し、上記指示が示す単色からなる単色画像を生成する（Ｓ１０８）。制御部４１は、当該単色画像を画像形成部１２に送出する。
【００３７】
あるいは、画像処理部４４は、マゼンタのキーＫ３１、シアンのキーＫ３２、及びイエローのキーＫ３３が示すいずれか１色が指示されると共に、２色のキーＫ４２により２色印刷が指示された場合は、この指示された１色及び黒色の組み合わせに対応する色変換アルゴリズムを記憶部３８から読み出して、当該色変換アルゴリズムに従って、印刷画像を当該１色及び黒色からなる画像に変換する画像処理を施し、上記指示が示す１色及び黒色からなる２色画像を生成する（Ｓ１０８）。制御部４１は、当該２色画像を画像形成部１２に送出する。なお、上記単色画像の生成及び２色画像を生成するための色変換アルゴリズムは、既知のものである。
【００３８】
画像形成部１２は、Ｓ１０８で生成された単色画像又は２色画像を記録紙上に形成して、この記録紙を出力する（Ｓ１０９）。
【００３９】
一方、Ｓ１０５において、ユーザーによる操作部３４又はタッチパネル３５の操作により、サンプル画像のキー２２が押下され、サンプル画像に示される色を用いて色変換を行う指示が、操作部３４又はタッチパネル３５に受け付けられると（Ｓ１０５「サンプル画像」）、表示制御部４２は、撮像部３３によるサンプル画像の撮像を促すメッセージを表示部３２に表示させる（Ｓ１１０）。
【００４０】
ユーザーが、そのメッセージを見て、操作部３４又はタッチパネル３５を操作し、操作部３４又はタッチパネル３５に、撮像部３３による撮像実行指示が受け付けられると、制御部４１が、撮像部３３に任意のサンプル画像（ユーザーが撮像部３３による撮像が可能に配置する）を撮像させる。撮像部３３は、サンプル画像を撮像すると、このサンプル画像は、画像メモリー３９に記憶される（Ｓ１１１）。サンプル画像は、ユーザーが用意した任意の画像であって、ユーザーが望む任意の単色を含むものである。
【００４１】
表示制御部４２は、このサンプル画像を示す画像データを画像メモリー３９から読み出して、このサンプル画像を表示部３２に表示させる（Ｓ１１２）。
【００４２】
このとき、ユーザーは、表示部３２に表示されているサンプル画像を見て、該サンプル画像における任意の単色を示す領域を指定してタッチパネル３５により単色指定指示を入力する。この単色指定指示がタッチパネル３５に受け付けられると、画像処理部４４の色抽出部４５は、画像メモリー３９内のサンプル画像から、当該単色指定指示により指定される単色を示す領域をサンプル画像から抽出し、この領域が示す当該単色を、後に指定される単色印刷又は２色印刷に用いる単色として設定する（Ｓ１１３）。
【００４３】
続いて、表示制御部４２は、図７に例を示すような、印刷形式選択用の画面Ｇ４を表示部３２に表示させる（Ｓ１１４）。この図７に示す画面Ｇ４には、単色印刷の指示を受け付けるための単色印刷キーＫ４１１、及び２色印刷の指示を受け付けるための２色印刷キーＫ４２１が表示されている。
【００４４】
ユーザーによる操作部３４又はタッチパネル３５の操作により、単色印刷キーＫ４１１が押下されると単色印刷の指示が受け付けられ、２色印刷キー４２１が押下されると２色印刷の指示が操作部３４又はタッチパネル３５に受け付けられる（Ｓ１１５）。
【００４５】
そして、画像処理部４４は、単色印刷が指示された場合は、Ｓ１１３で設定された単色による単色画像を生成するための色変換アルゴリズムを記憶部３８から読み出し、２色印刷が指示された場合は、Ｓ１１３で設定された単色と黒色による２色画像を生成するための色変換アルゴリズムを記憶部３８から読み出す（Ｓ１１６）。
【００４６】
画像処理部４４は、上記色変換アルゴリズムに従い、画像メモリー３９内の印刷画像に対して画像処理を施し、単色画像又は２色画像を生成する（Ｓ１１７）。制御部４１は、この生成した画像を画像形成部１２に入力させる。画像形成部１２は、当該画像を記録紙上に形成して、この記録紙を出力する（Ｓ１１８）。
【００４７】
このように本実施形態では、撮像部３３によりユーザーが用意したサンプル画像を撮像させて、このサンプル画像に含まれている任意の単色を抽出し、この抽出された任意の単色からなる単色画像、又は該任意の単色と黒色からなる２色画像を生成して記録紙に記録しているので、簡単な操作で、ユーザーが望む色を用いて、単色印刷又は２色印刷を行うことができる。
【００４８】
＜変形例１＞
変形例１では、色抽出部４５によりサンプル画像から抽出された単色を調節する。この場合、表示制御部４２は、例えば図８に示すような任意の単色を調節するための画面Ｇ５を表示部３２に表示させる。この図８に示す画面Ｇ５には、色抽出部４５によりサンプル画像から抽出された任意の単色を表示する単色表示欄５１、任意の単色の色相、彩度、明度を調節するためのそれぞれのスライダー５２、５３、５４、ＯＫキー５５、及びキャンセルキー５６が表示されている。
【００４９】
ユーザーは、単色表示欄５１を見て、任意の単色を確認する。ユーザーが、タッチパネル３５を通じて、各スライダー５２、５３、５４を操作すると、当該操作に応じたレベルの色相、彩度、及び明度が上記単色についてタッチパネル３５に受け付けられる。画像処理部４４は、当該受け付けられた色度、彩度、及び明度のレベルに従って、単色表示欄５１に表示されている単色を色変換する。表示制御部４２は、当該色変換後の単色を単色表示欄５１に表示させる。
【００５０】
ユーザーは、単色表示欄５１に表示されている当該単色を確認し、ＯＫキー５６を、タッチパネル３５を通じて押下すると、当該単色を単色印刷又は２色印刷に用いる指示がタッチパネル３５に受け付けられる。なお、色抽出部４５によりサンプル画像から抽出された単色を上記指示により指定された単色に変換する色変換アルゴリズムは記憶部３８に記憶されている。
【００５１】
画像処理部４４は、当該色変換アルゴリズムに従い、記憶部３８内の印刷画像のうち、抽出部４５によりサンプル画像から抽出された単色部分を、上記指示により指定された単色に変換した上で、単色画像又は２色画像を生成する。
＜変形例２＞
変形例４では、印刷画像を単色画像又は２色画像として印刷するに際し、色抽出部４５によりサンプル画像から単色が抽出されて単色印刷又は２色印刷が行われると、制御部４１は、当該単色を示す情報と、これに対応付けて、単色印刷又は２色印刷に用いられた単色画像及び２色画像を記憶部３８、又は、通信制御部４３を通じてネットワーク通信部３６から送信してネットワークＮ上のストレージに記憶させる。ネットワークＮ上のストレージは、サーバー、ワークステーション、ＰＣなどにより提供される。
【００５２】
そして、例えば、図３に示したＳ１０２において、単色印刷又は２色印刷での印刷を行う指示が受け付けられたときに、制御部４１は、この時点における印刷画像と、上記記憶部又は上記ストレージに記憶されている単色画像及び２色画像とでパターンマッチングを行う。制御部４１が当該パターンマッチングにより同一又は類似の画像を当該単色画像及び２色画像から１つ又は複数抽出した場合には、表示制御部４２は、当該抽出した１つ又は複数の画像を、表示制御部４２を通じて表示部３２に表示させる。
【００５３】
ユーザーによる操作部３４又はタッチパネル３５の操作により、表示部３２に表示されている上記抽出された１つ又は複数の画像から任意の１つの画像が選択されると（１つの画像のみ表示されている場合は当該画像が承認されると）、画像処理部４４は、上記印刷画像に対して、当該印刷画像が上記選択された単色画像又は２色画像となる色変換処理を行う。制御部４１は、当該色変換後の印刷画像を画像形成部１２により画像形成を行わせる。
【００５４】
尚、本発明は、上記実施形態の画像形成装置に限定されるものではなく、本発明をコピー機、プリンター、ファクシミリ装置等にも適用することができる。
【００５５】
また、図１乃至図８を用いて説明した上記実施形態及び変形例の構成及び処理は、本発明の一例に過ぎず、本発明を当該構成及び処理に限定する趣旨ではない。
【符号の説明】
【００５６】
１０      画像形成装置
１１      画像読取部
１２      画像形成部
３１      制御ユニット
３２      表示部
３３      撮像部
３４      操作部
３５      タッチパネル
３６      ネットワーク通信部
３８      記憶部
３９      画像メモリー
４１      制御部
４２      表示制御部
４３      通信制御部
４４      画像処理部
４５      色抽出部
【図１】
2019117238.tif 000003
【図２】
2019117238.tif 000004
【図３】
2019117238.tif 000005
【図４】
2019117238.tif 000006
【図５】
2019117238.tif 000007
【図６】
2019117238.tif 000008
【図７】
2019117238.tif 000009
【図８】
2019117238.tif 000010